(57)【要約】【課題】拒否対象となったＦＡＸデータを迅速かつ容易に受信できるＦＡＸ通信システムおよびＦＡＸ装置を提供すること。【解決手段】ＦＡＸ通信システム５００は，ポーリング送信機能を有するＦＡＸ装置１００と，ポーリング受信機能を有するＦＡＸ装置２００とから構成される。また，ＦＡＸ装置２００は，ＦＡＸデータの印刷および保存を拒否することが可能である。そして，ＦＡＸ装置１００は，ＦＡＸ装置２００にてＦＡＸデータの印刷が拒否されると，ポーリング送信モードに切り替えられる。その後，ＦＡＸ装置２００は，印刷を拒否したＦＡＸ装置１００に対してＦＡＸデータの送信要求を出力する。ＦＡＸ装置１００は，拒否された後はポーリング送信モードであり，ＦＡＸ装置２００の送信要求に応じてポーリング送信処理を行う。【選択図】            図１
2009231994.tif 000002
【特許請求の範囲】
【請求項１】
ファクシミリ（ＦＡＸ）データの送信を行う送信端末装置と，ＦＡＸデータの受信を行う受信端末装置とが通信回線を介して接続されたファクシミリ通信システムにおいて，
前記送信端末装置は，
前記受信端末装置にてＦＡＸデータの印刷が拒否されたことを契機に，ポーリング送信処理の待機モードに移行する制御手段を備え，
前記受信端末装置は，
前記送信端末装置から送られてきたＦＡＸデータの印刷処理および保存処理を拒否する拒否手段と，
前記送信端末装置に対して，ポーリング送信処理の対象となっているＦＡＸデータの送信要求を出力する出力手段を備えることを特徴とするファクシミリ通信システム。
【請求項２】
請求項１に記載するファクシミリ通信システムにおいて，
前記受信端末装置は，ＦＡＸデータの印刷を拒否した際に，前記送信端末装置に対して前記待機モードに移行する旨の要求信号を出力し，
前記送信端末装置は，前記要求信号を基に待機モードに移行することを特徴とするファクシミリ通信システム。
【請求項３】
請求項１または請求項２に記載するファクシミリ通信システムにおいて，
前記送信端末装置は，ポーリング送信処理の対象とするＦＡＸデータを記憶する記憶手段を備えることを特徴とするファクシミリ通信システム。
【請求項４】
請求項１から請求項３のいずれか１つに記載するファクシミリ通信システムにおいて，
前記送信端末装置は，前記待機モードに移行した旨の応答信号を前記受信端末装置に送信し，
前記受信端末装置は，前記応答信号を送信した送信端末装置に対してＦＡＸデータの送信要求を出力することを特徴とするファクシミリ通信システム。
【請求項５】
請求項１から請求項４のいずれか１つに記載するファクシミリ通信システムにおいて，
前記受信端末装置は，ＦＡＸデータの印刷処理を拒否する拒否モードが解除されたことを契機に，前記送信端末装置に対してポーリング送信処理の対象となっているＦＡＸデータの送信要求を出力することを特徴とするファクシミリ通信システム。
【請求項６】
請求項１から請求項５のいずれか１つに記載するファクシミリ通信システムにおいて，
前記受信端末装置は，ポーリング送信処理の対象とするＦＡＸデータを選択する選択手段を備えることを特徴とするファクシミリ通信システム。
【請求項７】
請求項１から請求項６のいずれか１つに記載するファクシミリ通信システムにおいて，
前記受信端末装置は，前記送信端末装置に対して前記待機モードの解除要求を出力し，
前記送信端末装置は，前記解除要求を受信したことを契機に前記待機モードを解除することを特徴とするファクシミリ通信システム。
【請求項８】
請求項１から請求項７のいずれか１つに記載するファクシミリ通信システムにおいて，
前記送信端末装置は，前記待機モードをＦＡＸデータごとに解除する解除手段を備えることを特徴とするファクシミリ通信システム。
【請求項９】
請求項１から請求項８のいずれか１つに記載するファクシミリ通信システムにおいて，
前記受信端末装置は，通信対象の送信端末装置が，前記送信端末装置として機能可能な装置であるか否かを判断し，前記送信端末装置として機能すると判断した場合に，ＦＡＸデータの印刷処理を拒否することを特徴とするファクシミリ通信システム。
【請求項１０】
請求項１から請求項９のいずれか１つに記載するファクシミリ通信システムにおいて，
前記送信端末装置は，通信対象の受信端末装置が，前記受信端末装置として機能可能な装置であるか否かを判断し，前記受信端末装置として機能すると判断した場合に，前記待機モードに移行することを特徴とするファクシミリ通信システム。
【請求項１１】
他のファクシミリ装置に送信したＦＡＸデータの印刷が拒否されたことを契機に，ポーリング送信処理の待機モードに移行する制御手段と，
他のファクシミリ装置から送信されたＦＡＸデータの印刷処理および保存処理を拒否する拒否手段と，
前記拒否手段にて印刷処理を拒否したファクシミリ装置に対して，ポーリング送信処理の対象となっているＦＡＸデータの送信要求を出力する出力手段とを備えることを特徴とするファクシミリ装置。
【発明の詳細な説明】
【技術分野】
【０００１】
本発明は，ファクシミリ（ＦＡＸ）通信を利用してデータの送受信を行うＦＡＸ通信システムおよびＦＡＸ装置に関する。さらに詳細には，ＦＡＸデータの印刷処理を拒否する拒否モードを備えたＦＡＸ通信システムおよびＦＡＸ装置に関するものである。
【背景技術】
【０００２】
ＦＡＸ装置には，ＦＡＸデータの印刷処理および保存処理を拒否する拒否モードを備えているものがある。拒否モードを利用することで，例えば不必要なダイレクトメールなどによる記録紙やメモリ等のリソースの浪費を回避することができる。また，ユーザの不在時に重要なＦＡＸデータが送信された際に，他のユーザにそのＦＡＸデータの内容が漏洩してしまうことが考えられ，そのような状況を回避することにも利用可能である。また，ジャムが発生した場合や，着色剤が無い場合には，印刷処理および保存処理の続行が不可能になる場合がある。このような場合においても，ＦＡＸデータの印刷処理や保存処理が拒否される。
【０００３】
拒否モードの動作としては，例えば次の３つの方法がある。すなわち，着信を拒否し，電話，ＦＡＸともに不通とする方法（方法１），着信はするが，ＦＡＸデータを受信しない方法（方法２），着信し，ＦＡＸデータを受信するが，受信したＦＡＸデータの印刷処理および保存処理を行わない方法（方法３）である。いずれの方法においても，ＦＡＸデータの印刷処理および保存処理は拒否される。なお，方法３では，受信の際にＦＡＸデータが一時的に記憶されるが保存はされない。
【０００４】
前記した拒否モードを備えたＦＡＸ装置としては，例えば特許文献１に開示されたＦＡＸ装置がある。このＦＡＸ装置では，登録されていない発呼局からのＦＡＸデータを，受信はするものの印字処理を行わず，その後，そのＦＡＸデータを保存せずに消去する処理（偽装受信）を行う手段を備えている。さらに，偽装受信に関するジャーナルレポートを作成する手段を備えている。
【特許文献１】特開平６−２９１９１２号公報
【発明の開示】
【発明が解決しようとする課題】
【０００５】
しかしながら，前記した従来のＦＡＸ装置には，次のような問題があった。すなわち，受信者であるユーザの不在が解消された後に，印刷処理を拒否したＦＡＸデータを取得したい場合には，当該ＦＡＸデータの送信者であるユーザに再送を依頼することになる。このとき，送信者であるユーザとの連絡が取れない場合には，すぐにＦＡＸデータを受信できない。
【０００６】
本発明は，前記した従来の技術が有する問題点を解決するためになされたものである。すなわちその課題とするところは，拒否対象となったＦＡＸデータを迅速かつ容易に受信できるＦＡＸ通信システムおよびＦＡＸ装置を提供することにある。
【課題を解決するための手段】
【０００７】
この課題の解決を目的としてなされたＦＡＸ通信システムは，ＦＡＸデータの送信を行う送信端末装置と，ＦＡＸデータの受信を行う受信端末装置とが通信回線を介して接続されたファクシミリ通信システムであって，送信端末装置は，受信端末装置にてＦＡＸデータの印刷が拒否されたことを契機に，ポーリング送信処理の待機モードに移行する制御手段を備え，受信端末装置は，送信端末装置から送られてきたＦＡＸデータの印刷処理および保存処理を拒否する拒否手段と，送信端末装置に対して，ポーリング送信処理の対象となっているＦＡＸデータの送信要求を出力する出力手段を備えることを特徴としている。
【０００８】
本発明のＦＡＸ通信システムは，ポーリング送信機能を有する送信端末装置と，ポーリング受信機能を有する受信端末装置とから構成される。また，受信端末装置は，拒否手段によってＦＡＸデータの印刷等を拒否することが可能である。本発明のＦＡＸ通信システムでは，受信端末装置の拒否手段によってＦＡＸデータの印刷が拒否されると，送信端末装置の制御手段によってポーリング送信処理の待機モード（ポーリング送信モード）に切り替えられる。その後，受信端末装置の出力手段によって，ＦＡＸデータの印刷を拒否した送信端末装置に対してＦＡＸデータの送信要求を出力する。待機モードとなっている送信端末装置では，受信端末装置の送信要求に応じてポーリング送信処理を行う。
【０００９】
すなわち，本発明のＦＡＸ通信システムでは，受信端末装置での印刷拒否を契機に送信端末装置を待機モードに切り替える。これにより，受信端末装置としては，その送信端末装置に対して送信要求を送ることで，拒否対象となったＦＡＸデータを受信できる。つまり，受信端末装置のユーザは，拒否対象となったＦＡＸデータを，送信端末装置のユーザに問い合わせることなく，速やかにかつ容易に取得できる。
【００１０】
また，本発明のＦＡＸ通信システムでは，受信端末装置は，ＦＡＸデータの印刷を拒否した際に，送信端末装置に対して待機モードに移行する旨の要求信号を出力し，送信端末装置は，要求信号を基に待機モードに移行するとよりよい。すなわち，送信端末装置が，受信端末装置からの要求信号を待たずに待機モードへ移行してしまうと，受信端末装置が本発明のものではない場合であっても，受信端末装置からの送信要求を待つことになってしまう。そこで，受信端末装置から待機モードへの移行を要求することで，待機モードに移行すべき状態を高精度に特定できる。
【００１１】
また，本発明のＦＡＸ通信システムの送信端末装置は，ポーリング送信処理の対象とするＦＡＸデータを記憶する記憶手段を備えるとよりよい。すなわち，拒否対象となったＦＡＸデータを記憶することで，待機モード時での原稿の載置が不要となる。その結果，原稿の長期放置が回避され，原稿の秘匿性が確保される。また，スキャナ部の長期独占が回避され，ユーザの利便性に悪影響を与えない。また，複数のＦＡＸデータの管理が可能となり，複数のＦＡＸデータをポーリング送信処理の対象として扱うことができる。
【００１２】
また，本発明のＦＡＸ通信システムの送信端末装置は，待機モードに移行した旨の応答信号を受信端末装置に送信し，受信端末装置は，応答信号を送信した送信端末装置に対してＦＡＸデータの送信要求を出力するとよりよい。すなわち，受信端末装置が，送信端末装置からの応答信号に関係なくポーリング受信を行うとすると，送信端末装置が本発明のものでない場合であっても，送信要求を行うことになってしまう。そこで，送信端末装置から待機モードへの移行が応答信号を受信することで，待機モードとなっている送信端末装置を高精度に特定できる。
【００１３】
また，本発明のＦＡＸ通信システムの受信端末装置は，ＦＡＸデータの印刷処理を拒否する拒否モードが解除されたことを契機に，送信端末装置に対してポーリング送信処理の対象となっているＦＡＸデータの送信要求を出力するとよりよい。すなわち，拒否モードの解除に伴ってＦＡＸデータの送信要求を自動的に行うことから，ユーザの手間が大幅に軽減される。
【００１４】
また，本発明のＦＡＸ通信システムの受信端末装置は，ポーリング送信処理の対象とするＦＡＸデータを選択する選択手段を備えるとよりよい。すなわち，拒否対象となったＦＡＸデータには，重要なＦＡＸデータと，必要性が乏しいダイレクトメール等とが混在することが考えられる。そこで，印刷が拒否されたＦＡＸデータが複数ある場合に，再送を要求するＦＡＸデータを選択可能にすることで，ユーザが必要とするＦＡＸデータのみを印刷することができる。
【００１５】
また，本発明のＦＡＸ通信システムの受信端末装置は，送信端末装置に対して待機モードの解除要求を出力し，送信端末装置は，解除要求を受信したことを契機に待機モードを解除するとよりよい。すなわち，受信端末装置のユーザとしては，不必要となったＦＡＸデータについて送信を望まない。そこで，受信端末装置から送信端末装置の待機モードを解除できることで，送信端末装置のリソース（メモリ，スキャナ）を有効利用できる。
【００１６】
また，本発明のＦＡＸ通信システムの送信端末装置は，待機モードをＦＡＸデータごとに解除する解除手段を備えるとよりよい。送信端末装置にとって，待機モードを長期間維持し，ＦＡＸデータを長期間保存することはリソースの有効利用を欠く。また，長期間送信要求がないものについては，重要性が乏しいと推測される。そこで，解除手段によって待機モードを解除可能にすることで，リソースの長期間の占有を回避する。なお，解除は，待機モードとなっている期間等を条件にして自動的に行ってもよいし，ユーザが手動で行ってもよい。
【００１７】
また，本発明のＦＡＸ通信システムの受信端末装置は，通信対象の送信端末装置が，本発明の送信端末装置として機能可能な装置であるか否かを判断し，本発明の送信端末装置として機能すると判断した場合に，ＦＡＸデータの印刷処理を拒否するとよりよい。すなわち，ＦＡＸ送信を依頼した送信端末装置が本発明の送信端末装置であれば，受信端末装置としては，すぐに印刷処理を行わずに拒否したとしても，後からＦＡＸデータの受信が可能である。つまり，ＦＡＸデータを後から確認できる。一方，本発明以外の送信端末装置では，ＦＡＸデータの後からの取得が保証されない。そのため，本発明の送信端末装置について印刷を拒否するとすることで，システムの信頼性が向上する。
【００１８】
また，本発明のＦＡＸ通信システムの送信端末装置は，通信対象の受信端末装置が，本発明の受信端末装置として機能可能な装置であるか否かを判断し，本発明の受信端末装置として機能すると判断した場合に，待機モードに移行するとよりよい。すなわち，ＦＡＸ受信を依頼した受信端末装置が本発明の受信端末装置であれば，後からＦＡＸデータの送信依頼が出力され，ＦＡＸデータの再送信が可能である。一方，本発明以外の受信端末装置では，ＦＡＸデータの送信依頼の出力が保証されない。そのため，本発明の受信端末装置からの信号に基づいて待機モードに移行することで，システムの信頼性が向上する。
【００１９】
また，本発明は，他のファクシミリ装置に送信したＦＡＸデータの印刷が拒否されたことを契機に，ポーリング送信処理の待機モードに移行する制御手段と，他のファクシミリ装置から送信されたＦＡＸデータの印刷処理および保存処理を拒否する拒否手段と，拒否手段にて印刷処理を拒否したファクシミリ装置に対して，ポーリング送信処理の対象となっているＦＡＸデータの送信要求を出力する出力手段とを備えることを特徴とするファクシミリ装置を含んでいる。
【発明の効果】
【００２０】
本発明によれば，拒否対象となったＦＡＸデータを迅速かつ容易に受信できるＦＡＸ通信システムおよびＦＡＸ装置が実現している。
【発明を実施するための最良の形態】
【００２１】
以下，本発明にかかるＦＡＸ装置を具体化した実施の形態について，添付図面を参照しつつ詳細に説明する。本形態は，ＦＡＸデータの印刷処理および保存処理を拒否する拒否機能と，ポーリング送信およびポーリング受信を行うポーリング機能とを備えたＦＡＸ装置によって構成されるＦＡＸ通信システムに本発明を適用したものである。
【００２２】
［ＦＡＸ通信システムの全体構成］
本形態のＦＡＸ通信システム５００は，図１に示すように，ＦＡＸ装置１００とＦＡＸ装置２００とが電話回線３００に接続されている。なお，本形態では，説明の簡略化のため２台のＦＡＸ装置のみ電話回線３００に接続されているが，電話回線３００に接続されるＦＡＸ装置は何台でもよい。以下，本形態の説明では，ＦＡＸ装置１００を発呼側のＦＡＸ装置として，ＦＡＸ装置２００を着呼側のＦＡＸ装置として説明する。
【００２３】
［ＦＡＸ装置の構成］
続いて，ＦＡＸ装置１００およびＦＡＸ装置２００の構成について説明する。ＦＡＸ装置１００（送信端末装置の一例）は，図１に示すように，ＣＰＵ１１（制御手段，解除手段の一例）と，ＲＯＭ１２と，ＲＡＭ１３と，不揮発性メモリ（以下，「ＮＶＲＡＭ」とする）１４（記憶手段の一例）と，表示部１６と，操作部１７と，画像形成部１１０と，スキャナ部１２０と，ネットワークインターフェース１８と，ＦＡＸインターフェース１９とを備えている。ＦＡＸ装置２００（受信端末装置の一例）は，ＦＡＸ装置１００と同様に，ＣＰＵ２１（拒否手段，出力手段，選択手段の一例）と，ＲＯＭ２２と，ＲＡＭ２３と，ＮＶＲＡＭ２４と，表示部２６と，操作部２７と，画像形成部２１０と，スキャナ部２２０と，ネットワークインターフェース２８と，ＦＡＸインターフェース２９とを備えている。
【００２４】
ＣＰＵ１１（２１）は，ＦＡＸ装置１００（２００）におけるスキャン機能，プリント機能，ＦＡＸ通信機能等の各種機能を実現するための演算を実行し，制御の中枢となるものである。ＲＯＭ１２（２２）は，ＦＡＸ装置１００（２００）を制御するための各種制御プログラムや各種設定，初期値等を記憶するものである。ＲＡＭ１３（２３）は，各種制御プログラムが読み出される作業領域として，あるいは画像データ等を一時的に記憶する記憶領域として利用されるものである。ＮＶＲＡＭ１４（２４）は，不揮発性を有する記憶手段（Non Volatile RAM）であって，各種設定ないし画像データ等を保存するものである。
【００２５】
ネットワークインターフェース１８（２８）には，パーソナルコンピュータ（ＰＣ）等の情報機器（不図示）が接続され，このネットワークインターフェース１８（２８）を介して情報機器との相互のデータ通信が可能になっている。ＦＡＸインターフェース１９（２９）は，ＦＡＸ通信を行うためのものであり，電話回線に接続される。具体的にＦＡＸインターフェース１９（２９）は，ＮＣＵやモデム等によって構成される。
【００２６】
ＦＡＸ装置１００（２００）は，ＦＡＸインターフェース１９（２９）によって受信したＦＡＸデータに基づく画像を，画像形成部１１０（２１０）によって用紙上に形成する処理を行う。また，スキャナ部１２０（２２０）によって読み取った画像データや，ネットワークインターフェース１８（２８）によって入力される画像データを基にＦＡＸデータを作成し，当該ＦＡＸデータをＦＡＸインターフェース１９（２９）を介して相手先に送信する処理を行う。
【００２７】
また，ＦＡＸ装置１００（２００）は，ＦＡＸの受信モードとして，受信したＦＡＸデータに基づく画像の印刷処理を行う「通常モード」と，印刷処理および保存処理を拒否する「拒否モード」とを備えている。各モードは，ユーザの操作によって切り替えられる。なお，拒否モードについては，ジャムが発生した場合や，着色剤が無い場合にも，自動的に切り替えられる。
【００２８】
また，ＦＡＸ装置１００（２００）は，受信側からの指示（ポーリング指示）を契機に，送信側にポーリング送信予約されたＦＡＸデータを送信するポーリング機能を備えている。
【００２９】
［ＦＡＸ通信システムの動作］
［ＦＡＸ通信システム全体の流れ］
続いて，ＦＡＸ通信システム５００の動作について説明する。本システム５００では，発呼側のＦＡＸ装置１００（「発呼側１００」とする）と着呼側のＦＡＸ装置２００（「着呼側２００」とする）との間で，ＦＡＸデータを送受信する前の段階で，各種信号のやりとりが行われる。そこで，本システム５００の動作手順について，図２，図３，および図５のタイミングチャートを参照しつつ説明する。
【００３０】
図２は，着呼側２００が通常モードであったときの動作を示している。まず，発呼側１００から発呼が行われる。発呼では，発呼側１００の情報（ＦＡＸ番号や機種等）が着呼側２００に送られる。着呼側２００では，発呼側１００からの発呼に応じてＦＡＸ送信の許可通知を発行する。発呼側１００では，許可通知を受信した後，ＦＡＸデータの送信を行う。着呼側２００では，ＦＡＸデータを受信して印刷処理を行う。
【００３１】
図３は，着呼側２００が拒否モードであったときの動作を示している。まず，発呼側１００から発呼が行われる。着呼側２００では，発呼側１００からの発呼に応じてＦＡＸ送信の拒否通知を発行する。さらに，着呼側２００では，拒否通知の後に，ポーリング送信処理の待機モード（以下，「ポーリング送信モード」とする）への移行通知を発行する。発呼側１００では，移行通知の受信を契機にポーリング送信モードに移行する。すなわち，発呼側１００は，拒否されたＦＡＸデータの予約（ＦＡＸデータの保存や原稿のセット依頼等）を行い，着呼側２００からの指示によってポーリング送信モードに移行する。ポーリング送信モードへの移行後，発呼側１００では移行完了通知を発行する。着呼側２００では，移行完了通知を受信すると，拒否対象となった着信に関する情報をデータベースに記憶する。
【００３２】
前述したように，着呼側２００は，拒否対象となった着信に関する情報を記録するデータベース２４０を備えている。本形態のデータベース２４０は，図４に示すように，着信１つ１つに付与される識別番号（ＩＤ）と，相手先ＦＡＸ番号と，着信日時とが，１つのレコードとして記録される。
【００３３】
図５は，着呼側２００が拒否モードから通常モードに復帰し，拒否したＦＡＸデータの受信を行うときの動作を示している。まず，着呼側２００の拒否モードが解除され，着呼側２００からポーリング送信要求が通知される。ポーリング送信モードで動作している発呼側１００では，ポーリング送信要求の受信を契機に，予約されたＦＡＸデータを着呼側２００に送信する。これにより，発呼側１００のユーザに連絡を取ることなく，発呼側１００からＦＡＸデータが得られる。着呼側２００では，ＦＡＸデータを受信して印刷処理を行う。印刷の後，ポーリング送信モードの解除通知が発行される。発呼側１００では，解除通知を受信することでポーリング送信モードを解除して通常モードに復帰する。
【００３４】
［ＦＡＸ装置の動作］
続いて，前述した各種信号およびＦＡＸデータのやりとりを行うための，発呼側１００および着呼側２００の動作の詳細について説明する。
【００３５】
［発呼側ＦＡＸ送信処理］
始めに，発呼側１００のＦＡＸ送信処理について，図６のフローチャートを参照しつつ説明する。なお，発呼側１００は，着呼側２００に対してＦＡＸ送信を要求するものとして説明する。
【００３６】
まず，ユーザのＦＡＸ送信指示を受けて，ＦＡＸデータを取得する（Ｓ１０１）。ＦＡＸデータは，例えば，スキャナ部１２０によって読み取られた原稿の画像を基に作成される。この他，ＦＡＸデータは，ネットワークインターフェース１８を介して他の情報端末装置から送られてきてもよい。取得したＦＡＸデータは，ＲＡＭ１３に記憶される。
【００３７】
次に，発呼側１００から着呼側２００に対して発呼が行われる（Ｓ１０２）。このとき，発呼側１００から発呼側情報（ＦＡＸ番号や機種情報等）が着呼側２００に対して送信される。その後，着呼側２００からの発呼に対する応答信号（本形態では，許可通知ないし拒否通知）を受信する（Ｓ１０３）。なお，着呼側２００からは，応答信号とともに，着呼側情報（ＦＡＸ番号や機種情報等）が送信される。
【００３８】
応答信号を受信すると，その応答信号の内容が受信を許可するものであるか否かを判断する（Ｓ１０４）。受信を許可するもの（許可通知）であれば（Ｓ１０４：ＹＥＳ），ＲＡＭ１３に記憶されたＦＡＸデータを着呼側２００に送信し（Ｓ１１５），本処理を終了する。
【００３９】
一方，受信を許可しないもの（拒否通知）であれば（Ｓ１０４：ＮＯ），着呼側２００からのポーリング送信モードへの移行通知を受信する（Ｓ１０５）。すなわち，着呼側２００からは，拒否通知に続いて移行通知が発行される。Ｓ１０５の処理では，この移行通知を受信するまで待機する。
【００４０】
次に，拒否対象となったＦＡＸデータをＮＶＲＡＭ１４に保存可能か否かを判断する（Ｓ１０６）。ＦＡＸデータを保存可能であれば（Ｓ１０６：ＹＥＳ），当該ＦＡＸデータをＮＶＲＡＭ１４に記憶する（Ｓ１０７）。このように，拒否対象のＦＡＸデータを記憶することで，原稿の再読み取りが不要となる。その結果，原稿のスキャナ部１２０への長期放置が回避され，原稿の秘匿性が確保される。また，スキャナ部１２０の長期独占が回避され，ユーザの利便性に悪影響を与えない。また，複数のＦＡＸデータの管理が可能となる。
【００４１】
一方，ＦＡＸデータを保存可能でなければ（Ｓ１０６：ＮＯ），拒否対象となったＦＡＸデータについての原稿をスキャナ部１２０に再載置する旨の報知を行う（Ｓ１１７）。報知処理としては，例えば，表示部１６への表示や音声による告知が該当する。なお，ＦＡＸデータを保存できない状況としては，例えば，発呼側１００がＦＡＸデータの保存機能を有していない場合やＮＶＲＡＭ１４の記憶容量が満杯である場合が該当する。
【００４２】
その後，拒否対象となったＦＡＸデータの発信情報が，発呼側１００が有するデータベース１４０に記録される（Ｓ１０８）。本形態のデータベース１４０は，図７に示すように，拒否通知の１つ１つに付与される識別番号（ＩＤ）と，相手先ＦＡＸ番号と，発信日時と，Ｓ１０７の処理で記憶されたＦＡＸデータのファイル名とが，１つのレコードとして記録される。なお，相手先を複数選択し，複数の相手先ＦＡＸ装置からの拒否通知を受信した場合には，その拒否通知ごとにレコードが作成される。
【００４３】
Ｓ１０８の処理後は，ポーリング送信モードに移行する（Ｓ１０９）。これにより，拒否されたＦＡＸデータについてのポーリング送信が，拒否通知の受信を契機に自動的に設定される。その後，ポーリング送信モードへの移行が完了したことの通知（移行完了通知）を着呼側２００に送信する（Ｓ１１０）。
【００４４】
次に，受信を拒否された旨を発呼側１００のユーザに報知する（Ｓ１１１）。これにより，ＦＡＸデータの受け取りが拒否された旨の注意が喚起される。報知処理としては，例えば，表示部１６への表示や，音声による告知や，用紙への印刷処理や，所定の情報装置へのメール送信や，所定のＦＡＸ装置へのＦＡＸ送信が該当する。Ｓ１１１の処理後は，本処理を終了する。
【００４５】
なお，着呼側２００からの移行通知を待たずに，拒否通知の受信によってポーリング送信モードに移行することも考えられるが，そのようにすると着呼側のＦＡＸ装置が本形態のＦＡＸ装置２００でない場合にもポーリング送信モードに切り替えられ，ポーリング送信要求を待つことになってしまう。そこで，拒否通知とは別に，着呼側２００からの移行通知によってモードを切り替えることで，ＦＡＸ通信システム内に既存のＦＡＸ装置が混在したとしても，本形態のＦＡＸ装置１００との間でポーリング送信を行うことに特定される。つまり，ポーリング送信モードに移行すべき状態を高精度に特定できる。
【００４６】
［発呼側ポーリング送信処理］
続いて，発呼側１００のポーリング送信処理について，図８のフローチャートを参照しつつ説明する。本処理は，ポーリング送信モード中に，所定の間隔で繰り返し実行される。なお，発呼側１００は，着呼側２００からポーリング送信要求を受けるものとして説明する。
【００４７】
まず，ポーリング送信要求の受信の有無を判断する（Ｓ１２１）。ポーリング送信の送信要求を受信した場合には（Ｓ１２１：ＹＥＳ），ポーリング送信要求を行った着呼側２００のＦＡＸ番号を基に，データベース１４０から適切なＦＡＸデータのファイル名を抽出し，ＮＶＲＡＭ１４から該当するＦＡＸデータを取得する（Ｓ１２２）。なお，データベース１４０を有していない場合には，スキャナ部１２０にて原稿を読み取り，ＦＡＸデータを作成する。そして，当該ＦＡＸデータを着呼側２００に送信する（Ｓ１２３）。
【００４８】
次に，ＦＡＸデータをポーリング送信したことを，発呼側１００のユーザに報知する（Ｓ１２４）。これにより，ＦＡＸデータが再送信された旨の注意が喚起される。報知処理としては，例えば，表示部１６への表示や，用紙への印刷処理や，所定の情報装置へのメール送信が該当する。
【００４９】
その後，当該ＦＡＸデータのファイルをＮＶＲＡＭ１４から削除するとともにデータベース１４０に登録されているレコードを削除する（Ｓ１２８）。そして，当該ＦＡＸデータについてのポーリング送信モードを解除し（Ｓ１２９），本処理を終了する。
【００５０】
一方，ポーリング送信要求を受信していない場合には（Ｓ１２１：ＮＯ），ポーリング送信モードの解除要求を受信したか否かを判断する（Ｓ１２５）。解除要求は，例えば，発呼側１００のユーザの操作によって強制的にポーリング送信モードを解除する指示がなされた際に発行される。解除要求は，登録されているＦＡＸデータについてすべて解除するとしてもよいし，解除するＦＡＸデータを選択してもよい。解除要求を受信した場合には（Ｓ１２５：ＹＥＳ），解除対象のＦＡＸデータについての登録を削除し（Ｓ１２８），解除対象のＦＡＸデータについてのポーリング送信モードを解除し（Ｓ１２９），本処理を終了する。
【００５１】
一方，解除要求を受信しなかった場合には（Ｓ１２５：ＮＯ），データベース１４０に登録されている各レコードのうち，あからじめ登録されているポーリング送信モードの解除条件を充足しているレコードを検索する（Ｓ１２６）。そして，解除条件を充足しているレコードが検索されたか否かを判断する（Ｓ１２７）。ポーリング送信モードの解除条件としては，例えば，タイムアウト時間として設定された時間の経過が該当する。この場合，データベース１４０の各レコードに記録されている発信日時と，現在時刻とを比較し，あからじめ設定されているタイムアウト時間を経過しているか否かによって解除条件を満たしているか否かが判断される。
【００５２】
解除条件を充足するレコードが検索されれば（Ｓ１２７：ＹＥＳ），検索されたＦＡＸデータについての登録を削除し（Ｓ１２８），検索されたＦＡＸデータについてのポーリング送信モードを解除し（Ｓ１２９），本処理を終了する。発呼側１００にとって，ポーリング送信モードを長期間維持し，ＦＡＸデータを保存し続けることはリソースの有効利用を欠く。また，長期間送信要求がないものについては，重要性が乏しいと推測される。そこで，所定の解除条件によってポーリング送信モードを自動解除することで，リソースの長期間の占有を回避する。解除条件を充足するレコードがなければ（Ｓ１２７：ＮＯ），本処理を終了する。
【００５３】
［着呼側ＦＡＸ受信処理］
続いて，着呼側２００のＦＡＸ受信処理について，図９のフローチャートを参照しつつ説明する。本処理は，所定の間隔で繰り返し実行される。なお，着呼側２００は，発呼側１００からのＦＡＸ送信依頼を受けるものとして説明する。
【００５４】
まず，着信の有無を判断する（Ｓ２０１）。着信がなければ（Ｓ２０１：ＮＯ），本処理を終了する。着信があれば（Ｓ２０１：ＹＥＳ），着信を拒否するか否かを判断する（Ｓ２０２）。拒否しない場合（Ｓ２０２：ＮＯ），すなわち通常モードであれば，許可通知を発呼側１００に発行する（Ｓ２１３）。その後，発呼側１００から送られてくるＦＡＸデータを受信し（Ｓ２１４），当該ＦＡＸデータに基づく画像を画像形成部１１０によって印刷する（Ｓ２１５）。印刷後は，本処理を終了する。
【００５５】
一方，拒否する場合には（Ｓ２０２：ＹＥＳ），すなわち拒否モードであれば，拒否通知を発呼側１００に発行する（Ｓ２０３）。なお，着信を拒否する場合には，拒否モードである場合の他，着信が不可能な状態（ビジーやジャム等）も含まれる。拒否通知の発行後，すぐにポーリング送信モードへの移行要求を発行する（Ｓ２０４）。
【００５６】
その後，発呼側１００がポーリング送信モードに移行すると，移行完了通知が発行され，着呼側２００ではその移行完了通知を受信する（Ｓ２０５）。そして，拒否対象となったＦＡＸデータについての情報を着信情報としてデータベース２４０（図４参照）に登録する（Ｓ２０６）。Ｓ２０６の処理後，本処理を終了する。
【００５７】
なお，着呼側２００が，発呼側１００からの移行完了通知に関係なく，着信情報をデータベース２４０に登録することも考えられるが，そのようにすると発呼側のＦＡＸ装置が本形態のＦＡＸ装置１００でない場合にも登録することになり，ポーリング送信要求を行うことになってしまう。そこで，着呼側２００の移行完了通知を待ってデータベース２４０に登録することで，ＦＡＸ通信システム内に既存のＦＡＸ装置が混在したとしても，本形態のＦＡＸ装置２００との間でポーリング受信を行うことに特定される。つまり，ポーリング送信モードとなっているＦＡＸ装置を高精度に特定できる。
【００５８】
［着呼側ポーリング受信処理］
続いて，着呼側２００のポーリング受信処理について，図１０のフローチャートを参照しつつ説明する。本処理は，拒否モードの解除を契機に，自動的に実行される。拒否モードの解除は，ユーザによる操作部２７の操作等によって行われる。なお，ジャムが発生した場合や，着色剤が無い場合による拒否モードでは，復旧とともに自動的に解除される。以下の説明では，着呼側２００は，発呼側１００との間でポーリング受信を行うものとして説明する。
【００５９】
まず，ポーリング受信について，自動的にポーリング受信を行う自動ポーリング受信が設定されているか否かを判断する（Ｓ２２１）。自動ポーリング受信が設定されていれば（Ｓ２２１：ＹＥＳ），データベース２４０を参照し，登録されているポーリング受信相手を一覧表示し，着信情報ごとにポーリング受信を行うか否かを選択させる（Ｓ２２２）。
【００６０】
ポーリング受信相手の選択方法の一例としては，例えば，図１１に示すような選択画面６０が適用可能である。すなわち，データベース２４０に登録されているレコードの情報を一覧部６１に表示し，各レコードに対応するチェックボックス６２によってポーリング受信を行うか否かを選択する。全件受信を行う場合には，全件ボタン６５を押下する。これにより，全レコードのチェックボックスにチェックが入る。受信ボタン６６を押下することで，相手先が確定する。
【００６１】
次に，全件受信するか否かを判断する（Ｓ２２３）。全件受信をしない，すなわち未選択のレコードがある場合には（Ｓ２２３：ＮＯ），その相手先のＦＡＸ装置に対して，ポーリング送信モードを解除する解除通知を発行する（Ｓ２３１）。そして，データベース２４０から該当するレコードを削除する（Ｓ２３２）。すなわち，着呼側２００のユーザとしては，不必要となったＦＡＸデータについては印刷を望まない。そこで，着呼側２００から発呼側１００のポーリング送信モードが解除できることで，発呼側１００のリソース（メモリ，スキャナ）を有効利用できる。全件受信する場合には（Ｓ２２３：ＹＥＳ），Ｓ２２４の処理に移行する。
【００６２】
次に，発呼側１００に対してポーリング送信要求を発行する（Ｓ２２４）。その後，ポーリング送信要求を受けた発呼側１００からＦＡＸデータを受信し（Ｓ２２５），当該ＦＡＸデータに基づく画像を画像形成部１１０によって印刷する（Ｓ２２６）。その後，発呼側１００に対してポーリング送信モードの解除通知を発行し（Ｓ２２７），印刷したＦＡＸデータに関する着信情報をデータベース２４０から削除する（Ｓ２２８）。
【００６３】
その後，受信結果を着呼側２００のユーザに報知する（Ｓ２２９）。仮に，発呼側１００に何らかの障害が生じていた場合には，Ｓ２２５の処理でＦＡＸデータが送信されない。そこで，ＦＡＸデータごとに印刷が行われたか否かを報知することで，着呼側２００のユーザは無事にＦＡＸデータを取得できたか否かを早期に認知することができる。ポーリング受信報知処理としては，例えば，表示部１６への表示や，音声による告知や，用紙への印刷処理や，所定の情報装置へのメール送信が該当する。Ｓ２２９の処理後，本処理を終了する。
【００６４】
一方，自動ポーリング受信が設定されていなければ（Ｓ２２１：ＮＯ），本処理を終了し，ユーザの所望のタイミングでポーリング受信を行う。手動でポーリング受信を行う際には，ユーザの所望のタイミングにより，Ｓ２２１の処理を除く本処理と同様の処理が行われる。
【００６５】
［第１の応用例］
続いて，第１応用例として，本ＦＡＸ通信システムに対応できない機種が混在する場合の発呼側１００のＦＡＸ送信処理について，図１２のフローチャートを参照しつつ説明する。なお，図６のフローチャートで説明した処理と同様の処理については同様の番号を付している。
【００６６】
ＦＡＸ送信処理のＳ１０３の処理では，着呼側からの応答信号を受信した際に，着呼側情報も受信する。本応用例のＦＡＸ送信処理では，この着呼側情報に含まれる機種情報を基に，着呼側が本ＦＡＸ通信システムに対応可能な機種であるか否かを判断する（Ｓ１４４）。すなわち，拒否モードを解除した後に拒否対象とした発呼側に対してポーリング送信指示を行う機種であるか否かを判断する。
【００６７】
着呼側が対応可能な機種でない場合には（Ｓ１４４：ＮＯ），通常の発呼動作を行う（Ｓ１５５）。これにより，未対応の機種に発呼を行った場合は，従来のＦＡＸ装置として動作することができる。すなわち，ＦＡＸデータの送信が拒否された場合であっても，ポーリング送信モードには移行せず，定期的に自動発呼（リトライ）を繰り返す。
【００６８】
一方，着呼側が対応可能な機種である場合には（Ｓ１４４：ＹＥＳ），リトライ処理を停止する（Ｓ１４５）。本形態の発呼側１００では，ポーリング送信モードに移行するため，リトライの必要はない。そのため，リトライを停止して，リトライに伴う回線の負荷を軽減する。その後は，図６のＳ１０４の処理に移行して実施の形態で説明した処理を行う。
【００６９】
［第２の応用例］
続いて，第２応用例として，本ＦＡＸ通信システムに対応できない機種が混在する場合の着呼側２００のＦＡＸ受信処理について，図１３のフローチャートを参照しつつ説明する。なお，図９のフローチャートで説明した処理と同様の処理については同様の番号を付している。
【００７０】
ＦＡＸ受信処理では，発呼側からの発呼を受信した際に，発呼側情報も受信する。本応用例のＦＡＸ受信処理では，この発呼側情報に含まれる機種情報を基に，発呼側が本ＦＡＸ通信システムに対応可能な機種であるか否かを判断する（Ｓ２４２）。すなわち，ポーリング送信モードへの移行通知を受けて，拒否対象としたＦＡＸデータのポーリング送信モードに移行する機種であるか否かを判断する。
【００７１】
発呼側が対応可能な機種でない場合には（Ｓ２４２：ＮＯ），通常の着呼動作を行う（Ｓ２４３）。これにより，未対応の機種に発呼を行った場合は，従来のＦＡＸ装置として動作することができる。すなわち，ＦＡＸデータの拒否を行わずに印刷を行う。これにより，少なくともＦＡＸデータの情報を受け取ることができ，ＦＡＸデータを受け取れない状況が回避される。一方，発呼側が対応可能な機種である場合には（Ｓ２４２：ＹＥＳ），図９のＳ２０２の処理に移行して実施の形態で説明した処理を行う。
【００７２】
以上詳細に説明したように実施の形態のＦＡＸ通信システム５００では，着呼側２００において着信時に拒否モードであった場合に，その着呼側２００での印刷拒否を契機に発呼側１００をポーリング送信モードに切り替えている。そして，その発呼側１００に対してポーリング送信要求を送ることで，拒否対象となったＦＡＸデータを受信している。つまり，着呼側２００のユーザは，拒否対象となったＦＡＸデータを，発呼側１００のユーザに問い合わせることなく，速やかにかつ容易に取得できる。
【００７３】
また，発呼側１００では，ＦＡＸデータの送信を拒否された際に，ポーリング送信モードに切り替えられる。そのため，ＦＡＸデータの送信のリトライの必要が無い。従って，通信の負荷を軽減できる。
【００７４】
また，拒否モードの解除に伴ってポーリング送信要求を自動的に行うことができる。そのため，ユーザの手間が大幅に軽減される。また，再送を要求するＦＡＸデータが選択可能である。そのため，ダイレクトメール等の不要なＦＡＸデータの印刷を回避し，ユーザが必要とするＦＡＸデータのみを印刷することができる。
【００７５】
なお，本実施の形態は単なる例示にすぎず，本発明を何ら限定するものではない。したがって本発明は当然に，その要旨を逸脱しない範囲内で種々の改良，変形が可能である。例えば，実施の形態では，ＦＡＸ専用装置に本発明を適用しているが，これに限るものではない。すなわち，ＦＡＸ機能を備えたものであればよく，ＦＡＸ機能を備えた複合機（ＭＦＰ）であってもよいし，ＦＡＸ機能を備えたパーソナルコンピュータ（ＰＣ）であってもよい。
【００７６】
また，ＦＡＸデータの印刷処理の拒否は，ユーザによる意図的な拒否モードの設定に限るものではない。例えば，ジャムや，用紙不足ないし着色剤不足によって印刷不可能な場合であっても印刷処理が拒否される。
【図面の簡単な説明】
【００７７】
【図１】実施の形態に係るＦＡＸ通信システムの概略構成および各ＦＡＸ装置の概略構成を示すブロック図である。
【図２】実施の形態に係るＦＡＸ通信システムの通常モードでの動作を示すタイミングチャートである。
【図３】実施の形態に係るＦＡＸ通信システムの拒否モードでの動作を示すタイミングチャートである。
【図４】着呼側ＦＡＸ装置における拒否モード中のＦＡＸデータの着信履歴を記録するデータベースの一例を示す図である。
【図５】実施の形態に係るＦＡＸ通信システムのポーリング送信の動作を示すタイミングチャートである。
【図６】実施の形態に係るＦＡＸ装置（発呼側）のＦＡＸ送信処理の手順を示すフローチャートである。
【図７】発呼側ＦＡＸ装置における着信拒否されたＦＡＸデータの発信履歴を記録するデータベースの一例を示す図である。
【図８】実施の形態に係るＦＡＸ装置（発呼側）のポーリング送信処理の手順を示すフローチャートである。
【図９】実施の形態に係るＦＡＸ装置（着呼側）のＦＡＸ受信処理の手順を示すフローチャートである。
【図１０】実施の形態に係るＦＡＸ装置（着呼側）のポーリング受信処理の手順を示すフローチャートである。
【図１１】ポーリング送信の要求先を選択する画面の一例を図である。
【図１２】第１の応用例に係るＦＡＸ装置（発呼側）のＦＡＸ送信処理の手順を示すフローチャートである。
【図１３】第２の応用例に係るＦＡＸ装置（着呼側）のＦＡＸ受信処理の手順を示すフローチャートである。
【符号の説明】
【００７８】
１９，２９    ＦＡＸインターフェース
１００  ＦＡＸ装置（発呼側）
２００  ＦＡＸ装置（着呼側）
１１０，２１０  画像形成部
１２０，２２０  スキャナ部
３００  電話回線
【図１】
2009231994.tif 000003
【図２】
2009231994.tif 000004
【図３】
2009231994.tif 000005
【図４】
2009231994.tif 000006
【図５】
2009231994.tif 000007
【図６】
2009231994.tif 000008
【図７】
2009231994.tif 000009
【図８】
2009231994.tif 000010
【図９】
2009231994.tif 000011
【図１０】
2009231994.tif 000012
【図１１】
2009231994.tif 000013
【図１２】
2009231994.tif 000014
【図１３】
2009231994.tif 000015